(57)【要約】【課題】  ハウジングの第１ハウジング構成部材と第２ハウジング構成部材とがスナップフィット係合によって連結された車両用ドアロック装置において、スナップフィット係合による連結構造の信頼性向上を図るのに有効な技術を提供することである。【解決手段】  車両用ドアロック装置のハウジング１０１は、第１ハウジング構成体１０１ａと第２ハウジング構成体１０１ｂとを連結するための連結機構１３０を含み、連結機構１３０は、第１ハウジング構成体１０１ａに突出状に設けられた係合爪１４０と、第２ハウジング構成体１０１ｂに設けられ係合爪１４０に係合可能な開口部１５１を有する係合アーム１５０と、係合アーム１５０の保護のために当該係合アーム１５０のアーム外周面１５３を囲むように第１ハウジング構成体１０１ａに設けられた保護部１６０と、を備える。【選択図】  図４
2015209662.tif 000002
【特許請求の範囲】
【請求項１】
車体に取付けられたストライカとの係合によって車両ドアを閉止状態に保持可能なラッチ機構と、
前記ラッチ機構を前記ストライカとの係合が解除可能なアンロック状態、或いは前記ストライカとの係合が解除不能なロック状態に設定するロック機構と、
少なくとも前記ラッチ機構及び前記ロック機構を収容するハウジングと、
を含む、車両用ドアロック装置であって、
前記ハウジングは、車外側に配置される第１ハウジング構成体と、車内側に配置される第２ハウジング構成体と、前記第１ハウジング構成体と前記第２ハウジング構成体とを連結するための連結機構と、を備え、
前記連結機構は、前記第１ハウジング構成体及び前記第２ハウジング構成体のうちの一方のハウジング構成体に突出状に設けられた係合爪と、前記第１ハウジング構成体及び前記第２ハウジング構成体のうちの他方のハウジング構成体に設けられ前記係合爪に係合可能な開口部を有する係合アームと、前記係合アームの保護のために当該係合アームのアーム外周面を囲むように前記一方のハウジング構成体に設けられた保護部と、を備える、車両用ドアロック装置。
【請求項２】
請求項１に記載の車両用ドアロック装置であって、
前記保護部は、前記一方のハウジング構成体に前記係合爪の突出方向に立設され且つ前記係合アームの前記アーム外周面に沿って対向配置された立設壁として構成されている、車両用ドアロック装置。
【請求項３】
請求項２に記載の車両用ドアロック装置であって、
前記立設壁は、その壁厚方向について前記係合アームの前記アーム外周面から離間するにつれて壁高さが漸減するよう傾斜した傾斜面を備える、車両用ドアロック装置。
【請求項４】
請求項２又は３に記載の車両用ドアロック装置であって、
前記係合アームは、前記車両ドアの上下方向及び左右方向の双方によって規定される平面に沿って延在し、
前記立設壁は、前記係合アームの前記アーム外周面のうち最も高所にある部位よりも上方に配置された壁構成部を含む、車両用ドアロック装置。
【請求項５】
請求項４に記載の車両用ドアロック装置であって、
前記係合アームは、前記他方のハウジング構成体側の部位を固定端部とし、当該固定端部から延出して前記車両ドアの左右方向に延びる先端部を自由端部とし、前記自由端部が前記固定端部を中心にして回動することによって前記係合爪との係合を解除するように構成されている、車両用ドアロック装置。
【発明の詳細な説明】
【技術分野】
【０００１】
本発明は、車両ドアに取付けられる車両用ドアロック装置に関する。
【背景技術】
【０００２】
特許文献１には車両用ドアロック装置の一例が開示されている。この車両用ドアロック装置は、その構成要素であるラッチ機構やロック機構等を収容するハウジングを備えている。このハウジングは、車外側に配置される第１ハウジング構成体と車内側に配置される第２ハウジング構成体とが連結機構によって一体的に連結されるように構成されている。この連結機構は、第１ハウジング構成体に設けられた係合爪と、第２ハウジング構成体に設けられ係合爪に係合可能な開口部を備える係合アームとを備えており、係合爪が係合アームの開口部に嵌め込まれるようにして係合する構造、所謂「スナップフィット係合」を利用した構造を有する。
【先行技術文献】
【特許文献】
【０００３】
【特許文献１】特開２０１０−２４８８９９号公報
【発明の概要】
【０００４】
（発明が解決しようとする課題）
【０００５】
上記の車両用ドアロック装置では、針金等の盗難用部材が係合アームに引っ掛けられて引っ張られた場合には、係合アームと係合爪とのスナップフィット係合が解除されることが想定される。このような場合には、ハウジングに収容されたロック機構等のドアロック構成要素を保護するのが難しくなり、例えばロック機構が盗難用部材によってアンロック状態に切替えられるという問題が生じ得る。
【０００６】
そこで本発明は、上記の点に鑑みてなされたものであり、その目的の１つは、ハウジングの第１ハウジング構成部材と第２ハウジング構成部材とがスナップフィット係合によって連結された車両用ドアロック装置において、スナップフィット係合による連結構造の信頼性向上を図るのに有効な技術を提供することである。
【０００７】
（課題を解決するための手段）
上記目的を達成するため、本発明に係る車両用ドアロック装置は、ラッチ機構、ロック機構及びハウジングを含む。ラッチ機構は、車両ドアを車体に対して閉じた状態で保持可能に構成される。ロック機構は、ラッチ機構を車体に設けられたストライカとの係合が解除可能なアンロック状態、或いはストライカとの係合が解除不能なロック状態に設定するように構成される。ハウジングは、少なくともラッチ機構及びロック機構を収容する収容部材として構成される。
【０００８】
ハウジングは、更に、車外側に配置される第１ハウジング構成体と、車内側に配置される第２ハウジング構成体と、第１ハウジング構成体と第２ハウジング構成体とを連結するための連結機構と、を備える。連結機構は、係合爪、係合アーム及び保護部を備える。係合爪は、第１ハウジング構成体及び第２ハウジング構成体のうちの一方のハウジング構成体に突出状に設けられる。係合アームは、第１ハウジング構成体及び第２ハウジング構成体のうちの他方のハウジング構成体に設けられ係合爪に係合可能な開口部を有する。保護部は、係合アームの保護のために当該係合アームのアーム外周面を囲むように一方のハウジング構成体に設けられる。これにより、針金等の盗難用部材が係合アームに直接的に作用し難くすることができる。例えば、第１ハウジング構成体の表面と係合アームとの間に形成された隙間に針金等の盗難用部材が侵入するのを阻止できる。この場合、係合爪と係合アームの開口部とのスナップフィット係合が解除されるのを阻止することができ、スナップフィット係合による連結構造の信頼性向上を図ることができる。その結果、ハウジングに収容されたドアロック構成要素の保護強化が可能になる。
【０００９】
上記構成の車両用ドアロック装置では、保護部は、一方のハウジング構成体に係合爪の突出方向に立設され且つ係合アームのアーム外周面に沿って対向配置された立設壁として構成されるのが好ましい。この場合、一方のハウジング構成体の一部を利用して保護部を構成することができるため、車両用ドアロック装置の構造を簡素化することができる。
【００１０】
上記構成の車両用ドアロック装置では、立設壁は、その壁厚方向について係合アームのアーム外周面から離間するにつれて壁高さが漸減するよう傾斜した傾斜面を備えるのが好ましい。これにより、立設壁の表面に盗難用部材が作用したとき、当該盗難用部材の先端部分を傾斜面に沿って滑らせて逃がすことによって、当該盗難用部材が立設壁の表面の特定の位置に留まり難くすることができる。その結果、盗難用部材から受ける荷重が立設壁の特定の部位に集中し難くなり、立設壁の破損によって防犯性が低下することを阻止できる。
【００１１】
上記構成の車両用ドアロック装置では、係合アームは、車両ドアの上下方向及び左右方向の双方によって規定される平面に沿って延在するのが好ましい。この場合、立設壁は、係合アームのアーム外周面のうち最も高所にある部位よりも上方に配置された壁構成部を含むのが好ましい。車両ドアの外部から下方に向けて侵入した針金等の盗難用部材は、係合アームのアーム外周面のうちの最も高所にある部位（上側部位）に最初に作用する可能性が高い。そこで、当該上側部位を立設壁の所定の壁構成部で保護することによって、下向きに作用する盗難用部材が係合アームの上側部位に直接的に作用するのを確実に防止することができる。
【００１２】
上記構成の車両用ドアロック装置では、係合アームは、他方のハウジング構成体側の部位を固定端部とし、当該固定端部から延出して車両ドアの左右方向に延びた先端部を自由端部とし、自由端部が固定端部を中心にして回動することによって係合爪との係合を解除するように構成されているのが好ましい。このような構成の係合アームの場合、係合爪との係合解除のために必要な荷重の入力方向は、車両ドアの外部から下方に向けて侵入した盗難用部材による荷重の作用方向とは異なる。従って、仮に立設壁の壁構成部が盗難用部材からの荷重によって係合アームのための保護機能を失っても、係合アームは盗難用部材からの荷重を受けて係合爪との係合を解除する方向に容易に動作することがなく、その結果、係合アームと係合爪との係合解除が起こり難い。
【発明の効果】
【００１３】
以上のように、本発明によれば、ハウジングの第１ハウジング構成部材と第２ハウジング構成部材とがスナップフィット係合によって連結された車両用ドアロック装置において、スナップフィット係合による連結構造の信頼性向上を図ることが可能になった。
【図面の簡単な説明】
【００１４】
【図１】図１は、本実施の形態の車両用ドアロック装置１００を車外側から視た図である。
【図２】図２は、図１中の車両用ドアロック装置１００を車両前方から視た図である。
【図３】図３は、図１中の車両用ドアロック装置１００を右斜め下方から視た図である。
【図４】図４は、図３中のＡ領域の連結機構１３０の平面図である。
【図５】図５は、図４中の連結機構１３０のＢ−Ｂ線についての断面図である。
【図６】図６は、図４中の連結機構１３０のＣ−Ｃ線についての断面図である。
【図７】図７は、図３中のＡ領域の連結機構１３０の部分拡大図であり、この連結機構１３０の盗難用部材に対する更なる保護機能について説明するための図である。
【図８】図８は、連結機構１３０の変更例に係る連結機構２３０の平面図である。
【発明を実施するための形態】
【００１５】
以下、本発明の実施形態を図面を参照しながら説明する。なお、当該図面では、車両前方及び車両後方をそれぞれ矢印Ｘ１及び矢印Ｘ２で示し、車両上方及び車両下方をそれぞれ矢印Ｙ１及び矢印Ｙ２で示し、車両右方及び車両左方をそれぞれ矢印Ｚ１及び矢印Ｚ２で示している。車両ドアに取付けられる前の状態の車両用ドアロック装置に対して、また車両ドアに取付けられた後の状態の車両用ドアロック装置に対して、これらの方向を適用することができる。
【００１６】
図１に示す本実施の形態の車両用ドアロック装置（以下、単に「ドアロック装置」ともいう）１００は、車両ドアＤＲのドアアウタパネル（車外側パネル）とドアインナパネル（車内側パネル）とによって区画される領域に装着される。図１にはこの車両ドアＤＲの典型例として車両右側の車両ドアが記載されている。
【００１７】
ドアロック装置１００は、当該ドアロック装置のドアロック構成要素１１０を収容するハウジング１０１と、このハウジング１０１のハウジング上面及びハウジング前面にわたって取付けられたカバー部材１２０を備えている。ハウジング１０１及びカバー部材１２０はいずれも樹脂製の部材として構成されている。
【００１８】
図２に示されるように、ハウジング１０１は、車外側に配置される第１ハウジング構成体１０１ａと、車内側に配置される第２ハウジング構成体１０１ｂとによって区画される空間部分に主要なドアロック構成要素１１０が組み付けられている。ここでいうハウジング１０１、第１ハウジング構成体１０１ａ及び第２ハウジング構成体１０１ｂがそれぞれ、本発明の「ハウジング」、「第１ハウジング構成体１０１ａ」及び「第２ハウジング構成体１０１ｂ」に相当する。カバー部材１２０は、車両ドアＤＲの外部から侵入した水や盗難用部材からハウジング１０１に収容されたドアロック構成要素１１０を保護する機能を果たす。
【００１９】
尚、ドアロック構成要素１１０には、周知のラッチ機構１１１及びロック機構１１２等が含まれる。ラッチ機構１１１は、車体ＢＤに取付けられたストライカＳＴとの係合によって車両ドアＤＲを閉止状態に保持可能に構成される。ロック機構１１２は、ラッチ機構１１１をストライカＳＴとの係合が解除可能なアンロック状態、或いはストライカＳＴとの係合が解除不能なロック状態に設定するように構成される。これらのラッチ機構１１１及びロック機構１１２がそれぞれ、本発明の「ラッチ機構」及び「ロック機構」に相当する。このドアロック構成要素１１０の更なる具体的な構成については、例えば特開２０１０−２４８８９９号公報に開示の「被係止機構」及び「第１作動機構」等が参照される。
【００２０】
図３に示されるように、ハウジング１０１の第１ハウジング構成体１０１ａと第２ハウジング構成体１０１ｂとは、複数（図２中では４つ）の連結機構１３０によって一体状に連結されている。本実施例では、ハウジング１０１の前面に１つの連結機構１３０が設けられ、ハウジング１０１の下面に３つの連結機構１３０が設けられている。この連結機構１３０が本発明の「連結機構」に相当する。
【００２１】
各連結機構１３０の詳細な構造については図４〜図６が参照される。これらの図面に記載の連結機構１３０は、係合爪１４０、係合アーム１５０及び保護部１６０を備えている。
【００２２】
図４に示すように、係合爪１４０は、第１ハウジング構成体１０１ａに突出状に設けられており、第１ハウジング構成体１０１ａの表面から所定の突出方向（図５中の第１方向Ｄ１）に延出している。係合アーム１５０は、第２ハウジング構成体１０１ｂに設けられており、係合爪１４０との係合のための開口部１５１を備えている。係合アーム１５０は、係合爪１４０の突出方向と交差する方向（図５中の第２方向Ｄ２）の平面上において、係合爪１４０の周りを囲むようにリング状（環状）に延在している。ここでいう係合爪１４０及び係合アーム１５０がそれぞれ本発明の「係合爪」及び「係合アーム」に相当する。
【００２３】
この場合、各連結機構１３０において係合爪１４０が係合アーム１５０の開口部１５１に嵌め込まれるようにして係合する構造、所謂「スナップフィット係合」による構造が採用されている。具体的には、係合爪１４０の爪側面１４１に係合アーム１５０のアーム内周面１５２が引っ掛かることによって係合爪１４０と係合アーム１５０との間の係止力が生じる。係合爪１４０が係合アーム１５０の開口部１５１に係合した状態では、係合爪１４０の周りが係合アーム１５０によって囲まれる。このスナップフィット係合によれば、第１ハウジング構成体１０１ａと第２ハウジング構成体１０１ｂとが一体的に連結され、互いに離間する方向（図４中の上下方向）についての相対移動が阻止される。
【００２４】
図５に示されるように、保護部１６０は、係合アーム１５０の保護のために当該係合アーム１５０のアーム外周面１５３を囲むように第１ハウジング構成体１０１ａに設けられている。具体的に説明すると、この保護部１６０は、係合爪１４０と同様に第１ハウジング構成体１０１ａに第１方向Ｄ１に突出状に立設され且つ係合アーム１５０のアーム外周面１５３に沿って対向配置された立設壁（「リブ」ともう）として構成されている。即ち、この保護部１６０は、第２方向Ｄ２について係合アーム１５０のうちアーム内周面１５２とは反対側のアーム外周面１５３に対向し、且つ一方の壁側面１６１がアーム外周面１５３に倣った形状になっている。この場合、第１ハウジング構成体１０１ａの係合爪１４０と保護部１６０とによって区画される空間部１４２に係合アーム１５０に介在している。この保護部１６０は、成型時の型抜きの容易性等を考慮した構造として、型抜き領域である空間部１６２を隔てて分断された２つの立設壁１６０，１６０を有する構造、即ちアーム外周面１５３に沿って断続的に延在する２つの立設壁１６０，１６０を有する構造になっている（図４参照）。
【００２５】
この保護部１６０によれば、車両ドアＤＲ内に侵入した針金等の盗難用部材が係合アーム１５０に直接的に作用し難くすることができる。例えば、第１ハウジング構成体１０１ａの表面と係合アーム１５０との間に形成された隙間（図４中の空間部１４２に相当する隙間）に針金等の盗難用部材が侵入するのを阻止できる。この場合、盗難用部材が係合アーム１５０に引っ掛けられて引っ張られるのを保護部１６０によって防止することで、係合爪１４０と係合アーム１５０の開口部１５１とのスナップフィット係合が解除されるのを阻止することができる。この保護部１６０を、盗難用部材が係合アーム１５０に引っ掛けられるのを防止するための「引っ掛け防止手段」、或いはスナップフィット係合が解除されるのを防止するための「スナップフィット係合解除防止手段」ともいうことができる。
【００２６】
その結果、スナップフィット係合による第１ハウジング構成体１０１ａと第２ハウジング構成体１０１ｂと連結構造の信頼性向上を図ることができ、ハウジング１０１に収容されたドアロック構成要素１１０の保護強化が可能になる。また、保護部１６０は、第１ハウジング構成体１０１ａの一部を利用して構成された立設壁であり、これによりドアロック装置１００の構造を簡素化することができる。
【００２７】
上記構成の保護部１６０は、立設壁の壁厚方向について係合アーム１５０のアーム外周面１５３から離間するにつれて壁高さが漸減するよう傾斜した傾斜面１６３を備えている。この傾斜面１６３は、傾き度合いが一定の平面であってもよいし、或いは曲面であってもよい。このような構成によれば、保護部１６０の表面に盗難用部材が作用したとき、当該盗難用部材の先端部分を傾斜面１６３に沿って滑らせて逃がすことによって、当該盗難用部材が保護部１６０の表面の特定の位置に留まり難くすることができる。その結果、盗難用部材から受ける荷重が保護部１６０の特定の部位に集中し難くなり、保護部１６０の破損によって防犯性が低下することを阻止できる。
【００２８】
上記構成のドアロック装置１００において、図３中のＡ領域の連結機構１３０は複数（本実施の形態では４つ）の連結機構１３０のうちの最も高所に位置しており、車両ドアＤＲ内に侵入した針金等の盗難用部材の影響を受け易い。このため、本実施の形態では、最も高所に位置するＡ領域の連結機構１３０は、盗難用部材に対する上述の保護機能に加えて更なる機能を有する必要がある。この更なる機能について図７を参照しつつ説明する。
【００２９】
図７に示される連結機構１３０では、係合アーム１５０は、車両ドアの上下方向及び左右方向の双方によって規定される平面Ｅに沿って延在している。また、この連結機構１３０では、立設壁１６０は、係合アーム１５０のアーム外周面１５３のうち最も高所にある上側部位（図７中の上部外周面１５３ａ）よりも上方に配置された壁構成部１６０ａを含むように構成されている。この壁構成部１６０ａが本発明の「壁構成部」に相当する。従って、壁構成部１６０ａは、車両ドアの外部から下方に向けて侵入した針金等の盗難用部材が最初に作用する可能性が高い上部外周面１５３ａを最優先で保護する機能を果たす。図７では、盗難用部材の作用方向を矢印Ｆで示している。これにより、下向きに作用する盗難用部材が係合アーム１５０の上部外周面１５３ａに直接的に作用するのを確実に防止することができる。
【００３０】
また、上記係合アーム１５０は、第２ハウジング構成体１０１ｂ側の部位を固定端部１５０ａとし、当該固定端部１５０ａから延出して車両ドアの左右方向に延びた先端部を自由端部１５０ｂとし、自由端部１５０ｂが固定端部１５０ａ（回動軸Ｌ）を中心にして矢印Ｇ方向に回動することによって係合爪１４０との係合を解除するように構成されている。この係合アーム１５０の場合、係合爪１４０との係合解除のために必要な荷重の入力方向は、車両ドアの外部から下方に向けて侵入した盗難用部材による荷重の作用方向（図７中の矢印Ｆの方向）とは異なる。従って、仮に立設壁１６０の壁構成部１６０ａが盗難用部材からの荷重によって係合アーム１５０のための保護機能を失っても、係合アーム１５０は盗難用部材からの荷重を受けて係合爪１４０との係合を解除する方向に容易に動作することがない。即ち、係合アーム１５０は、盗難用部材から受ける矢印Ｆの方向の下向き荷重によって同方向に撓む可能性はあるが矢印Ｇ方向に回動する可能性は低い。その結果、係合アーム１５０と係合爪１４０との係合解除が起こり難い。
【００３１】
本発明は、上記の典型的な実施形態のみに限定されるものではなく、種々の応用や変形が考えられる。例えば、上記実施の形態を応用した次の各形態を実施することもできる。
【００３２】
上記実施の形態では、図４に示される連結機構１３０では、保護部１６０が断続的に延在する２つの立設壁からなる場合について記載したが、本発明では連続状に延在する１つの立設壁のみによって保護部を形成することもできる。このような保護部の構成については図８が参照される。図８に示される連結機構２３０は、保護部１６０に代えて保護部２６０を用いる点においてのみ、図４に示される連結機構１３０の構成と相違しており、その他の構成については同一である。保護部２６０は、係合アーム１５０のアーム外周面１５３の全体を囲むように連続状に延在する１つの立設壁のみによって形成されている。この保護部２６０によれば、図４中の空間部１６２を無くすことによって、針金等の盗難用部材が係合アーム１５０に直接的に作用するのをより確実に阻止することができる。
【００３３】
上記実施の形態では、ハウジング１０１のうち第１ハウジング構成体１０１ａに係合爪１４０及び保護部１６０，２６０を設け、且つ第２ハウジング構成体１０１ｂに係合アーム１５０を設ける場合について記載したが、本発明では第１ハウジング構成体１０１ａに係合アーム１５０を設け、且つ第２ハウジング構成体１０１ｂに係合爪１４０及び保護部１６０，２６０を設けるようにしてもよい。
【００３４】
上記実施の形態では、保護部１６０，２６０を立設壁によって構成する場合について記載したが、本発明では立設壁以外の要素、例えば突起等を用いて保護部を構築することもできる。
【００３５】
本発明では、上記実施の形態の保護部１６０，２６０は、係合アーム１５０のアーム外周面１５３を少なくとも囲むように構成されていればよく、アーム外周面１５３に沿って対向配置された立設壁に、係合アーム１５０のアーム上面（図５中の上面）を覆う被覆部を加えた構造を採用することもできる。これにより、係合アーム１５０のアーム外周面１５３と保護部１６０，２６０との間に形成される隙間に図５中の上方から盗難用部材が作用した場合に、当該隙間に盗難用部材が侵入するのを阻止することができる。
【００３６】
本発明では、上記のドアロック装置１００の本質的な構造を車両の各車両ドアに適用することができる。例えば、車両前席用の左右のドアや、車両後席用の左右のドア、更には車両後部のドア（バックドア）等に、本発明のドアロック装置１００の本質的な構造を適用することができる。
【符号の説明】
【００３７】
１００…（車両用）ドアロック装置、１０１…ハウジング、１０１ａ…第１ハウジング構成体、１０１ｂ…第２ハウジング構成体、１１０…ドアロック構成要素、１１１…ラッチ機構、１１２…ロック機構、１２０…カバー部材、１３０，２３０…連結機構、１４０…係合爪、１４２…空間部、１５０…係合アーム、１５０ａ…固定端部、１５０ｂ…自由端部、１５１…開口部、１５２…アーム内周面、１５３…アーム外周面、１５３ａ…上部外周面、１６０，２６０…保護部（立設壁）、１６０ａ…壁構成部、１６１…壁側面、１６２…空間部、１６３…傾斜面    
【図１】
2015209662.tif 000003
【図２】
2015209662.tif 000004
【図３】
2015209662.tif 000005
【図４】
2015209662.tif 000006
【図５】
2015209662.tif 000007
【図６】
2015209662.tif 000008
【図７】
2015209662.tif 000009
【図８】
2015209662.tif 000010